(57)【要約】【課題】安心して参加することができ、延いては参加車両ユーザが増大することにより、強力な広告媒体とすることが可能な広告配信装置、車内端末装置、広告配信方法、広告受信方法及び広告配信プログラムを提供する。【解決手段】照合手段１１０は、車両４００のユーザ毎に登録された前記表示器４１０の表示可能な範囲を定める広告表示条件と照合して、広告主により依頼された広告が、前記広告表示条件を満たすか否かを判断する。その結果、広告表示条件を満たす場合、該条件を満たすユーザの車両４００に広告主により依頼された広告にかかる広告表示データを無線を介して配信する。【選択図】      図１
2004271738.tif 000002
【特許請求の範囲】
【請求項１】
車外に広告を表示する表示器を搭載した車両に広告表示データを無線を介して配信する広告配信装置において、
前記車両のユーザ毎に登録された前記表示器の表示可能な範囲を定める広告表示条件を管理する広告表示条件管理手段と、
前記広告表示条件管理手段により管理された広告表示条件と照合して、広告主により依頼された広告が、前記広告表示条件を満たすか否かを判断する照合手段と、
前記照合手段による照合の結果、前記広告表示条件を満たす場合、該条件を満たすユーザの車両に前記広告主により依頼された広告にかかる広告表示データを無線を介して配信する配信手段と、
を有することを特徴とする広告配信装置。
【請求項２】
前記広告表示条件は、少なくとも広告の内容について定められており、
前記照合手段は、前記広告主により依頼された広告の内容が、前記広告表示条件を満たすか否かを判断することを特徴とする請求項１記載の広告配信装置。
【請求項３】
前記広告主により依頼された広告毎に、該広告についての広告掲載条件を管理する広告掲載条件管理手段をさらに有し、
前記照合手段は、前記広告掲載条件が、前記広告表示条件を満たすか否かを判断することを特徴とする請求項１または２記載の広告配信装置。
【請求項４】
前記広告表示条件及び前記広告掲載条件は、車種、地域、時間帯等の条件を定めており、
前記照合手段は、前記車種、地域、時間帯等に関する広告掲載条件が、前記車種、地域、時間帯等に関する広告表示条件を満たすか否かを判断することを特徴とする請求項３記載の広告配信装置。
【請求項５】
広告配信装置が無線を介して送信する広告表示依頼データを受信手段により受信し、該受信した広告表示依頼データを基に作成した広告表示内容を車外に表示する表示器を搭載した車両内に設置される車内端末装置であって、
前記受信手段により受信された前記広告表示依頼データを基に作成した広告表示内容を前記車両内のユーザに対して報知する報知手段と、
前記報知手段により報知された広告表示内容をユーザが確認して表示許可か表示拒否かを入力する入力手段と、
前記入力手段により前記表示許可が入力されると、前記広告表示内容を作成するためのデータを前記表示器に出力する表示制御手段と、
を有することを特徴とする車内端末装置。
【請求項６】
前記入力手段により前記表示拒否が入力されると、該表示拒否の旨を示すデータを前記広告配信装置に送信する送信手段をさらに有することを特徴とする請求項５記載の車内端末装置。
【請求項７】
車外に広告を表示する表示器を搭載した車両に広告表示データを無線を介して配信する広告配信方法において、
前記車両のユーザ毎に登録された前記表示器の表示可能な範囲を定める広告表示条件と照合して、広告主により依頼された広告が、前記広告表示条件を満たすか否かを判断し、
前記判断の結果、前記広告表示条件を満たす場合、該条件を満たすユーザの車両に前記広告主により依頼された広告にかかる広告表示データを無線を介して配信することを特徴とする広告配信方法。
【請求項８】
前記広告表示条件は、少なくとも広告の内容について定められており、
前記広告主により依頼された広告の内容が、前記広告表示条件を満たすか否かを判断することを特徴とする請求項７記載の広告配信方法。
【請求項９】
前記広告主により依頼された広告毎に登録された広告掲載条件が、前記広告表示条件を満たすか否かを判断することを特徴とする請求項７または８記載の広告配信方法。
【請求項１０】
前記広告表示条件及び前記広告掲載条件は、車種、地域、時間帯等の条件を定めており、
前記車種、地域、時間帯等に関する広告掲載条件が、前記車種、地域、時間帯等に関する広告表示条件を満たすか否かを判断することを特徴とする請求項９記載の広告配信方法。
【請求項１１】
広告配信装置が無線を介して送信する広告表示依頼データを受信し、該受信した広告表示依頼データを基に作成した広告表示内容を車外に表示する表示器を搭載した車両側における広告受信表示方法において、
前記受信した前記広告表示依頼データを基に作成した広告表示内容を前記車両内のユーザに対して報知し、
前記報知された広告表示内容をユーザによって確認され、入力部に表示許可が入力されると、前記広告表示内容を作成するためのデータを前記表示器に出力することを特徴とする車両側における広告受信表示方法。
【請求項１２】
前記入力部に前記ユーザによって表示拒否が入力されると、該表示拒否の旨を示すデータを前記広告配信装置に送信することを特徴とする請求項１１記載の車両側における広告受信表示方法。
【請求項１３】
車外に広告を表示する表示器を搭載した車両に広告表示データを無線を介して配信するコンピュータ読み取り可能な広告配信プログラムにおいて、
前記車両のユーザ毎に登録された前記表示器の表示可能な範囲を定める広告表示条件と照合して、広告主により依頼された広告が、前記広告表示条件を満たすか否かを判断する判断処理と、
前記判断処理による判断の結果、前記広告表示条件を満たす場合、該条件を満たすユーザの車両に前記広告主により依頼された広告にかかる広告表示データを無線を介して配信する配信処理と、
をコンピュータに実行させることを特徴とするコンピュータ読み取り可能な広告配信プログラム。
【請求項１４】
前記広告表示条件は、少なくとも広告の内容について定められており、
前記判断処理は、前記広告主により依頼された広告の内容が、前記広告表示条件を満たすか否かを判断することを特徴とする請求項１３記載のコンピュータ読み取り可能な広告配信プログラム。
【請求項１５】
前記判断処理は、前記広告主により依頼された広告毎に登録された広告掲載条件が、前記広告表示条件を満たすか否かを判断することを特徴とする請求項１３または１４記載のコンピュータ読み取り可能な広告配信プログラム。
【請求項１６】
前記広告表示条件及び前記広告掲載条件は、車種、地域、時間帯等の条件を定めており、
前記判断処理は、前記車種、地域、時間帯等に関する広告掲載条件が、前記車種、地域、時間帯等に関する広告表示条件を満たすか否かを判断することを特徴とする請求項１５記載のコンピュータ読み取り可能な広告配信プログラム。
【発明の詳細な説明】
【０００１】
【発明の属する技術分野】
本発明は、広告主が登録した広告情報をネットワークを介して車両の表示器に表示する広告配信装置、車内端末装置、広告配信方法、広告受信表示方法及び広告配信プログラムに関する。
【０００２】
【従来の技術】
特許文献１は、車両に表示器を搭載し、発信元から送信された情報をリアルタイムに当該表示器に表示させる手法を開示している。この手法によれば、広告内容を更新することが容易であり、例えば数時間ごとといったように頻繁に広告内容を更新することも可能である。この手法を、業務車両のみならず、一般車両にも拡大していけば、かなりの広告効果を期待することができる。即ち、上記表示器を搭載する車両が多くなれば多くなるほど、広告媒体としての広告資源が増大し、高い広告効果を得ることになる。
【０００３】
【特許文献１】
特開平１０−２０７４１３号公報  （第３−６頁、第１図）
【０００４】
【発明が解決しようとする課題】
車両ユーザにとって、自車の外観にどのような表示がなされるかは一大関心事であり、主義、信条等に反する表示（広告等）は掲載したくないのが通常である。特許文献１は、発信元が送信した情報を車両ユーザが表示器に表示し、その対価の還元を受ける手法を開示し、車両ユーザが表示器を搭載するインセンティブについて考慮されている。
【０００５】
しかしながら、自車の表示器にどんな表示がなされるか分からない状況では、いくら経済的利益があろうとも発信元の情報を表示したくないのが通常である。このように、表示器を搭載してくれる車両ユーザが少ない状況では、十分な広告資源を確保することができず、広告主にとっても強力な広告媒体になりえない。
【０００６】
本発明は、上記問題点に鑑みなされたものであり、車両ユーザが表示器に表示される表示内容の表示の有無を選択することができることにより、安心して参加することができ、延いては参加車両ユーザが増大することにより、強力な広告媒体とすることが可能な広告配信装置、車内端末装置、広告配信方法、広告受信表示方法及び広告配信プログラムを提供することを目的とする。
【０００７】
【課題を解決するための手段】
かかる目的を達成するために、請求項１記載の発明は、図１の基本構成図に示すように、車外に広告を表示する表示器４１０を搭載した車両４００に広告表示データを無線を介して配信する広告配信装置において、前記車両４００のユーザ毎に登録された前記表示器４１０の表示可能な範囲を定める広告表示条件を管理する広告表示条件管理手段１４０ａと、前記広告表示条件管理手段１４０ａにより管理された広告表示条件と照合して、広告主により依頼された広告が、前記広告表示条件を満たすか否かを判断する照合手段１１０と、前記照合手段１１０による照合の結果、前記広告表示条件を満たす場合、該条件を満たすユーザの車両４００に前記広告主により依頼された広告にかかる広告表示データを無線を介して配信する配信手段１６０と、を有することを特徴としている。
【０００８】
請求項１記載の発明によれば、照合手段１１０が、広告主により依頼された広告と、ユーザにより広告表示条件管理手段１４０ａに登録された広告表示条件とを照合して、広告表示条件を満たすか否かを判断し、広告表示条件を満たす場合に、配信手段１６０が、車両４００に広告主により依頼された広告にかかる広告表示データを無線を介して配信することにより、車両４００のユーザは、予め登録した広告表示条件を満たさない広告の配信を排除することができ、安心して参加することができるため、参加ユーザの増大につながる。
【０００９】
請求項２記載の発明は、請求項１記載の発明において、前記広告表示条件は、少なくとも広告の内容について定められており、前記照合手段１１０は、前記広告主により依頼された広告の内容が、前記広告表示条件を満たすか否かを判断することを特徴としている。
【００１０】
請求項２記載の発明によれば、広告表示条件として広告の内容（例えば、ユーザが表示したくない広告の内容）を予め登録しておくことにより、その広告の配信を排除することができ、安心して参加することができるため、参加ユーザの増大につながる。
【００１１】
請求項３記載の発明は、請求項１または２記載の発明において、前記広告主により依頼された広告毎に、該広告についての広告掲載条件を管理する広告掲載条件管理手段１４０ｂをさらに有し、前記照合手段１１０は、前記広告掲載条件が、前記広告表示条件を満たすか否かを判断することを特徴としている。
【００１２】
請求項３記載の発明によれば、広告主が広告についての広告掲載条件を広告掲載条件管理手段１４０ｂに登録することにより、広告主の希望に沿った広告表示が可能となるため、広告主の参加も増大する。
【００１３】
請求項４記載の発明は、請求項３記載の発明において、前記広告表示条件及び前記広告掲載条件は、車種、地域、時間帯等の条件を定めており、前記照合手段１６０は、前記車種、地域、時間帯等に関する広告掲載条件が、前記車種、地域、時間帯等に関する広告表示条件を満たすか否かを判断することを特徴としている。
【００１４】
請求項４記載の発明によれば、広告表示条件及び広告掲載条件として、車種、地域、時間帯等の条件を登録することができることにより、きめ細かな照合が可能となり、広告主及びユーザの希望がより反映する。
【００１５】
請求項５記載の発明は、図２の基本構成図に示すように、広告配信装置１００が無線を介して送信する広告表示依頼データを受信手段４３５ａにより受信し、該受信した広告表示依頼データを基に作成した広告表示内容を車外に表示する表示器４１０を搭載した車両４００内に設置される車内端末装置であって、前記受信手段４３５ａにより受信された前記広告表示依頼データを基に作成した広告表示内容を前記車両４００内のユーザに対して報知する報知手段４３６と、前記報知手段４３６により報知された広告表示内容をユーザが確認して表示許可か表示拒否かを入力する入力手段４３４と、前記入力手段４３４により前記表示許可が入力されると、前記広告表示内容を作成するためのデータを前記表示器４１０に出力する表示制御手段４３１と、を有することを特徴としている。
【００１６】
請求項５記載の発明によれば、受信手段４３５ａが広告配信装置１００から送信する広告表示依頼データを受信し、報知手段４３６が、受信手段４３５ａにより受信された広告表示依頼データを基に作成した広告表示内容を車内に報知する。ユーザが広告表示内容を確認して入力手段４３４に表示許可を入力すると、表示制御手段４３１が広告表示内容を作成するためのデータを表示器４１０に出力することにより、ユーザは、表示器４１０に表示してもよい広告のみを表示器４１０に表示することができ、安心して参加することができるため、参加ユーザの増大につながる。
【００１７】
請求項６記載の発明は、請求項５記載の発明において、前記入力手段４３４により前記表示拒否が入力されると、該表示拒否の旨を示すデータを前記広告配信装置１００に送信する送信手段４３５ｂをさらに有することを特徴としている。
【００１８】
請求項６記載の発明によれば、広告配信装置１００から送信された広告の表示拒否を広告配信装置１００に伝達することができることにより、広告主側は、広告表示実績をリアルタイムに知ることができる。
【００１９】
請求項７記載の発明は、車外に広告を表示する表示器４１０を搭載した車両に広告表示データを無線を介して配信する広告配信方法において、前記車両４００のユーザ毎に登録された前記表示器４１０の表示可能な範囲を定める広告表示条件と照合して、広告主により依頼された広告が、前記広告表示条件を満たすか否かを判断し、前記判断の結果、前記広告表示条件を満たす場合、該条件を満たすユーザの車両４００に前記広告主により依頼された広告にかかる広告表示データを無線を介して配信することを特徴としている。
【００２０】
請求項７記載の発明によれば、広告主により依頼された広告と、ユーザにより登録された広告表示条件とを照合して、広告表示条件を満たすか否かを判断し、広告表示条件を満たす場合に、車両４００に広告主により依頼された広告にかかる広告表示データを無線を介して送信することにより、車両４００のユーザは、予め登録した広告表示条件を満たさない広告の配信を排除することができ、安心して参加することができるため、参加ユーザの増大につながる。
【００２１】
請求項８記載の発明は、請求項７記載の発明において、前記広告表示条件は、少なくとも広告の内容について定められており、前記広告主により依頼された広告の内容が、前記広告表示条件を満たすか否かを判断することを特徴としている。
【００２２】
請求項８記載の発明によれば、広告表示条件として広告の内容（例えば、ユーザが表示したくない広告の内容）を予め登録しておくことにより、その広告の配信を排除することができ、安心して参加することができるため、参加ユーザの増大につながる。
【００２３】
請求項９記載の発明は、請求項７または８記載の発明において、前記広告主により依頼された広告毎に登録された広告掲載条件が、前記広告表示条件を満たすか否かを判断することを特徴としている。
【００２４】
請求項９記載の発明によれば、広告主が広告についての広告掲載条件を登録することにより、広告主の希望に沿った広告表示が可能となるため、広告主の参加も増大する。
【００２５】
請求項１０記載の発明は、請求項９記載の発明において、前記広告表示条件及び前記広告掲載条件は、車種、地域、時間帯等の条件を定めており、前記車種、地域、時間帯等に関する広告掲載条件が、前記車種、地域、時間帯等に関する広告表示条件を満たすか否かを判断することを特徴としている。
【００２６】
請求項１０記載の発明によれば、広告表示条件及び広告掲載条件として、車種、地域、時間帯等の条件を登録することができることにより、きめ細かな照合が可能となり、広告主及びユーザの希望がより反映する。
【００２７】
請求項１１記載の発明は、広告配信装置１００が無線を介して送信する広告表示依頼データを受信し、該受信した広告表示依頼データを基に作成した広告表示内容を車外に表示する表示器４１０を搭載した車両４００側における広告受信表示方法において、前記受信した前記広告表示依頼データを基に作成した広告表示内容を前記車両４００内のユーザに対して報知し、前記報知された広告表示内容をユーザによって確認され、入力部４３４に表示許可が入力されると、前記広告表示内容を作成するためのデータを前記表示器４１０に出力することを特徴としている。
【００２８】
請求項１１記載の発明によれば、広告配信装置１００から送信された広告表示依頼データを基に作成した広告表示内容を車内のユーザに報知する。ユーザが広告表示内容を確認して入力部４３４に表示許可を入力すると、広告表示内容が表示器４１０に出力されることにより、ユーザは、表示器４１０に表示してもよい広告のみを表示器４１０に表示することができ、安心して参加することができるため、参加ユーザの増大につながる。
【００２９】
請求項１２記載の発明は、請求項１１記載の発明において、前記入力部４３４に前記ユーザによって表示拒否が入力されると、該表示拒否の旨を示すデータを前記広告配信装置１００に送信することを特徴としている。
【００３０】
請求項１２記載の発明によれば、広告配信装置１００から送信された広告の表示拒否を広告配信装置１００に伝達することができることにより、広告主側は、広告表示実績をリアルタイムに知ることができる。
【００３１】
請求項１３記載の発明は、車外に広告を表示する表示器４１０を搭載した車両に広告表示データを無線を介して配信するコンピュータ読み取り可能な広告配信プログラムにおいて、前記車両４００のユーザ毎に登録された前記表示器４１０の表示可能な範囲を定める広告表示条件と照合して、広告主により依頼された広告が、前記広告表示条件を満たすか否かを判断する判断処理と、前記判断処理による判断の結果、前記広告表示条件を満たす場合、該条件を満たすユーザの車両４００に前記広告主により依頼された広告にかかる広告表示データを無線を介して配信する配信処理と、をコンピュータに実行させることを特徴としている。
【００３２】
請求項１３記載の発明によれば、広告主により依頼された広告と、ユーザにより登録された広告表示条件とを照合して、広告表示条件を満たすか否かを判断し、広告表示条件を満たす場合に、車両に広告主の依頼にかかる広告表示データを無線を介して配信する処理をコンピュータに実行させることにより、車両のユーザは、予め登録した広告表示条件を満たさない広告の配信を排除することができ、安心して参加することができるため、参加ユーザの増大につながる。
【００３３】
請求項１４記載の発明は、請求項１３記載の発明において、前記広告表示条件は、少なくとも広告の内容について定められており、前記判断処理は、前記広告主により依頼された広告の内容が、前記広告表示条件を満たすか否かを判断することを特徴としている。
【００３４】
請求項１４記載の発明によれば、広告表示条件として広告の内容（例えば、ユーザが表示したくない広告の内容）を予め登録しておくことにより、その広告の配信を排除することができ、安心して参加することができるため、参加ユーザの増大につながる。
【００３５】
請求項１５記載の発明は、請求項１３または１４記載の発明において、前記判断処理は、前記広告主により依頼された広告毎に登録された広告掲載条件が、前記広告表示条件を満たすか否かを判断することを特徴としている。
【００３６】
請求項１５記載の発明によれば、広告主が広告についての広告掲載条件を登録することにより、広告主の希望に沿った広告表示が可能となるため、広告主の参加も増大する。
【００３７】
請求項１６記載の発明は、請求項１５記載の発明において、前記広告表示条件及び前記広告掲載条件は、車種、地域、時間帯等の条件を定めており、前記判断処理は、前記車種、地域、時間帯等に関する広告掲載条件が、前記車種、地域、時間帯等に関する広告表示条件を満たすか否かを判断することを特徴としている。
【００３８】
請求項１６記載の発明によれば、広告表示条件及び広告掲載条件として、車種、地域、時間帯等の条件を登録することができることにより、きめ細かな照合が可能となり、広告主及びユーザの希望がより反映する。
【００３９】
【発明の実施の形態】
以下、本発明の実施形態を添付図面を参照しながら詳細に説明する。
図３は、本発明の実施形態における広告配信表示システムのシステム構成を示すブロック図である。本発明の実施形態における広告配信表示システムは、サーバ１００、広告主端末２００、ユーザ端末３００、車両４００、及びアンテナ５００を備える。車両４００は、表示器４１０、アンテナ４２０、及び図示しない車内端末４３０を備える。
【００４０】
サーバ１００は、一般のサービスプロバイダ、または本サービスを提供運営する独立の運営会社に設置される１台または複数の情報処理装置である。サーバ１００は、インターネットを介して広告主端末２００、ユーザ端末３００、及び車内端末４３０と接続するＷＥＢサーバとするとよい。なお、広告主端末２００、ユーザ端末３００、及び車内端末４３０との通信の全部または一部をインターネット以外の通信方式を使用してもかまわない。
【００４１】
広告主端末２００は、広告主が使用可能なＰＣ、携帯電話機、ＰＨＳ（ｐｅｒｓｏｎａｌ  ｈａｎｄｙｐｈｏｎｅ  ｓｙｓｔｅｍ）、ＰＤＡ（ｐｅｒｓｏｎａｌ  ｄｉｇｉｔａｌ  ａｓｓｉｓｔａｎｔ）等の通信機能を搭載した情報処理装置である。広告主端末２００は、広告主から広告掲載条件を入力され送信指示を受けると、ネットワークを介してサーバ１００に送信する。また、サーバ１００から種々の通知を受ける。
【００４２】
ユーザ端末３００は、ユーザが使用可能なＰＣ、携帯電話機、ＰＨＳ、ＰＤＡ等の通信機能を搭載した情報処理装置である。ユーザ端末３００は、車両４００のユーザの自宅に設置されていても、ユーザ自身が携帯していてもよい。また、後述する車内端末４３０がユーザ端末３００を兼ねてもよい。ユーザ端末３００は、ユーザから広告表示条件を入力され送信指示を受けると、ネットワークを介してサーバ１００に送信する。また、サーバ１００から種々の通知を受ける。また、広告主及びユーザは、広告主端末２００及びユーザ端末３００からではなく、サーバ１００を管理している会社の窓口から登録できるようにしてもよい。
【００４３】
車両４００は、スポーツカー、バス等、その車種は問わない。表示器４１０は、車両４００の外面に取付けられる液晶、ＣＲＴ（ｃａｔｈｏｄｅ  ｒａｙ  ｔｕｂｅ）、プラズマ、有機ＥＬ、その他の電光表示ディスプレイである。設置箇所は、窓、ボディー等どこでもよい。また、ヘッドアップディスプレイにより車両４００後部または側部のガラスに映しこみ車外から見えるようにしてもよい。表示器４１０は、サーバ１００から送信されてきた広告情報（文字、静止画、動画）を表示する。アンテナ４２０、アンテナ５００は、車両４００とサーバ１００とが無線通信を行うためのアンテナである。アンテナ５００は、携帯電話網、ＰＨＳ網、または無線ＬＡＮの無線基地局のアンテナを利用するとよい。
【００４４】
次に、サーバ１００について詳述する。図４は、本発明の実施形態におけるサーバ１００の構成を示すブロック図である。サーバ１００は、ＣＰＵ１１０、ＲＯＭ１２０、ＲＡＭ１３０、外部記憶装置１４０、操作部１５０、入出力部１６０、及び表示部１７０を備える。ＣＰＵ１１０は、各種のデータ処理を行い、サーバ１００全体を制御する。ＲＯＭ１２０は、ＣＰＵ１１０に各種処理動作を行わせるための制御プログラムが格納されている。ＲＡＭ１３０は、各種データ記憶用のデータエリア及び各種処理作業に用いるワークエリアとして使用される。外部記憶装置１４０は、ハードディスク等の大容量の記憶装置であり、各種のデータベースを構築する。操作部１５０は、サーバ１００とユーザとのインタフェースである。入出力部１６０は、サーバ１００外部の機器とデータの入出力を行うためのインタフェースである。表示部１７０は、ユーザに画像を表示する。
【００４５】
図５に、外部記憶装置１４０内に構築されるデータベースである広告掲載条件登録テーブル、及び広告表示条件登録テーブルの一例を示す。図５（ａ）に示す広告掲載条件登録テーブルは、広告主端末２００からネットワークを介して、登録される。広告掲載条件登録テーブルへの登録事項として、広告主は、広告内容を登録しなければならない。広告内容としては、文字、静止画、動画のいずれか、またはそれらの組み合わせを登録することができる。静止画、動画を登録する場合は、例えばＪＰＥＧ、ＭＰＥＧファイル等を登録する。
【００４６】
また、広告主は、広告掲載条件を登録する。一例として図５（ａ）に示すように、広告を表示して欲しい車種、表示地域、表示時間帯、１回あたりの表示時間、広告有効期間、最大広告件数、及び１回あたりの希望掲載料金を登録する。広告主は、広告対象物のターゲット層を考慮して、最大の広告効果を得られるように広告掲載条件を登録することができる。
【００４７】
一方、図５（ｂ）に示す広告表示条件登録テーブルは、ユーザ端末３００からネットワークを介して、登録される。広告表示条件登録テーブルへの登録事項として、車両４００のユーザは、予めＮＧまたは希望広告内容を登録することができる。
【００４８】
ＮＧ広告内容とは、例えば勤務先の競合会社の広告、主義や信条に合致しない業種の広告、派手な動画の広告等である。それがある場合、予めユーザが自己の車両４００に表示したくない会社、業種、表示形式等を登録することができる。一方、希望広告内容とは、例えば自己の車両４００にぜひ表示したい会社、または業種の広告である。それがある場合、予めユーザが自己の車両４００に表示したい会社、業種、表示形式等を登録することができる。車両４００のユーザは、ＮＧまたは希望広告内容が特にない場合は、この項目はブランクでよい。
【００４９】
また、車両のユーザは、登録表示条件を登録しなければならない。一例として図５（ｂ）に示すように、自己の車種、走行地域、走行時間帯、駐車場所、１回あたりの希望表示料金を登録しなければならない。広告資源としての車両４００の特性を登録させることにより、広告主の希望掲載条件と照合するためである。広告主、ユーザは、これらの広告掲載条件登録、広告表示条件登録を広告主端末２００、ユーザ端末３００から適宜更新することができる。
【００５０】
次に、車両４００について詳述する。図６は、本発明の実施形態における車両４００の構成を示すブロック図である。車両４００は、表示器４１０、アンテナ４２０、及び車内端末４３０を備える。表示器４１０、アンテナ４２０、及び車内端末４３０は、有線または無線により接続されている。車内端末４３０は、ＣＰＵ４３１、ＲＯＭ４３２、ＲＡＭ４３３、操作部４３４、入出力部４３５、及び車内表示部４３６を備える。なお、車内表示部４３６の代わりに、音声により広告内容をユーザに認知させる音声出力部でもよい。
【００５１】
車内端末４３０は、車外に設置される表示器４１０に組み込まれた構成でもよい。その場合、車内表示部４３６は省略される。車内端末４３０は、専用の機器でもよいし、専用のアプリケーションソフトを搭載したカーナビゲーション装置を利用してもよい。
【００５２】
（第１の実施形態）
次に、第１の実施形態について説明する。図７は、本発明の第１の実施形態における広告情報表示システムの動作を説明するためのフローチャートである。まず、広告主は、広告主端末２００からネットワークを介して、サーバ１００の広告掲載条件登録テーブルに広告内容、広告掲載条件を登録するために、サーバ１００に登録希望を送信する（ステップＳ１）。広告掲載条件は、サーバ１００の作成した選択肢から選択する手法とするとよい。
【００５３】
サーバ１００が広告主端末２００から登録希望を受信すると、サーバ１００の管理者は、表示部１７０に登録情報を表示させ、表示希望の広告内容に、例えば特定人への誹謗中傷表現、猥褻な表現等公序良俗に反する表現を含むか否かを判断する（ステップＳ２）、登録許可できない場合（ステップＳ２／Ｎ）、サーバ１００は、受け入れを拒否する。また、サーバ１００がＮＧとなるキーワードを保持しておき、送信されてきた広告内容と照合して受け入れを判断してもよい。また、広告主とユーザとの当事者間に判断を任せ、本ステップによる判断を行わない構成でもよい。
【００５４】
一方、車両４００のユーザは、ユーザ端末３００からネットワークを介してサーバ１００の広告表示条件登録テーブルに広告表示条件を登録する（ステップＳ３）。サーバ１００は、広告掲載条件登録テーブル、及び広告表示条件登録テーブルの双方にデータが登録されてくると、条件の照合を行う（ステップＳ４）。
【００５５】
条件が一致した場合（ステップＳ４／一致）、サーバ１００は、登録された広告掲載条件から生成した地域（アンテナ）情報、識別情報、１回の表示時間、表示内容等から成る表示依頼データを、条件が一致した車両端末４３０に送信する（ステップＳ５）。地域（アンテナ）情報は、車両４００のアンテナ４２０と通信したアンテナ５００とを照合するために用いることができる。識別情報は、表示器４１０に表示する情報を識別する。なお、条件の一致の程度は、サーバ１００の管理者が操作部１５０からパラメータ変更を入力することにより、調整することができる。
【００５６】
車両４００は、アンテナ４２０より上記表示依頼データを受信し、車両端末４３０に出力する。受信した表示依頼データは、一時、ＲＡＭ４３３に記憶される。ユーザは、車内表示部４３６により、広告の表示内容を確認する（ステップＳ６）。本ステップは、予め条件の照合を行っているため、省略してもよい。また、車内表示部４３６を搭載しない車内端末４３０の場合も省略される。広告表示を希望し、操作部４３４から表示実行操作をすると（ステップＳ６／Ｙ）、表示器４１０に広告内容が表示される（ステップＳ７）。
【００５７】
表示器４１０への広告表示を終了すると、車両端末４３０は、地域情報、識別情報、車両情報、広告表示終了情報、時間情報等から成る表示完了データをアンテナ４２０からサーバ１００に自動送信する（ステップＳ８）。車両端末４３０に図示しないＧＰＳ（Ｇｌｏｂａｌ  Ｐｏｓｉｔｉｏｎｉｎｇ  Ｓｙｓｔｅｍ）を搭載していれば、その位置情報を地域情報として送信してもよい。
【００５８】
サーバ１００は、上記表示完了データを受信すると、表示実行の集計処理をリアルタイムに行い、外部記憶装置１４０に構築されたデータベースである広告表示実績管理テーブルのデータを更新する（ステップＳ９）。広告表示実績管理テーブルは、後述する課金処理の基礎データとなる。広告主が広告主端末２００からこの情報を随時参照することができるようにするとよい。
【００５９】
そして、サーバ１００は、広告主に請求する広告料金を算出する（ステップＳ１０）。また、ユーザへの表示器４１０への表示データ量、表示時間に応じた利益還元分を算出する（ステップＳ１１）。広告主への広告料金の請求は、所定の期間の請求分をまとめて、所定の時期に請求するとよい。その支払方法は問わない。
【００６０】
ユーザへの利益還元方法としては、ユーザの口座へ振り込むといった手法を用いることができる。その還元時期は、即時に行ってもよいし、所定の期間毎に行ってもよい。本実施形態は、リアルタイムに広告表示実績を管理しているため、リアルタイムに利益を還元することが可能である。料金体系は、基本的に従量制とするとよい。サーバ１００の管理者が、広告主から取得した料金収入からマージンを取り、残りをユーザへ還元してもよい。
【００６１】
（第２の実施形態）
次に、第２の実施形態について説明する。本実施形態は、車両のユーザが予め広告表示条件を登録する必要がないため、図３に示したユーザ端末３００は必要なく、また図５に示した広告表示条件登録テーブルも必要ない。図８は、本発明の第２の実施形態における広告情報表示システムの動作を説明するためのフローチャートである。
【００６２】
まず、広告主は、広告主端末２００からネットワークを介して、サーバ１００の広告掲載条件登録テーブルに広告内容、広告掲載条件を登録するために、サーバ１００に登録希望を送信する（ステップＳ２０）。広告掲載条件は、サーバ１００の作成した選択肢から選択する手法とするとよい。
【００６３】
サーバ１００が広告主端末２００から登録希望を受信すると、サーバ１００の管理者は、表示部１７０に登録情報を表示させ、表示希望の広告内容に、例えば特定人への誹謗中傷表現、猥褻な表現等公序良俗に反する表現を含むか否かを判断する（ステップＳ２１）。登録許可できない場合（ステップＳ２１／Ｎ）、サーバ１００は、受け入れを拒否する。また、サーバ１００がＮＧとなるキーワードを保持しておき、送信されてきた広告内容と照合して受け入れを判断してもよい。また、広告主とユーザとの当事者間に判断を任せ、本ステップによる判断を行わない構成でもよい。
【００６４】
次に本実施形態においては、サーバ１００は、広告掲載条件登録テーブルを参照し、登録広告依頼の表示希望時間帯になったら、希望表示地域のアンテナ５００を１つまたは複数特定する。そして、特定したアンテナ５００から地域（アンテナ）情報、識別情報、１回の表示時間、広告内容、希望掲載料金等から成る表示依頼データを送信する（ステップＳ２２）。当該アンテナ５００の管轄しているエリア内の１台または複数台の車両４００は、表示依頼情報をアンテナ４２０から受信する（ステップＳ２３）。
【００６５】
受信した表示依頼データは、一時、ＲＡＭ４３３に記憶される。ユーザは、車内表示部４３６により、広告の表示内容、及び希望掲載料金を確認する（ステップＳ２４）。本実施形態においては、ユーザが表示器４１０に表示してよいか否かを判断するための必須のステップとなる。
【００６６】
ユーザは、表示内容、及び希望掲載料金を確認し、表示器４１０への表示を希望する場合（ステップＳ２４／Ｙ）、車内端末４３０の操作部４３４から車両属性データを入力し、ネットワークを介してサーバ１００に送信する（ステップＳ２５）。車両属性データとは、自己の車両４００の属性を示す情報である。例えば、車種、走行予定時間、走行予定地域等の情報である。車両属性データは、サーバ１００の作成した選択肢から選択する手法とするとよい。
【００６７】
サーバ１００は、車両属性データを受信すると、表示依頼情報に係る広告の掲載条件と、上記車両属性データとを照合する（ステップＳ２６）。条件が一致した場合（ステップＳ２６／一致）、サーバ１００は、上記アンテナ５００を通じて、上記車両属性データを送信してきた車両端末４３０に表示指令データを送信する（ステップＳ２７）。
【００６８】
車内端末４３０は、表示指令データを受信すると、先に受信した広告内容をＲＡＭ４３３から引き出し、表示器４１０に出力する。表示器４１０は、広告内容を表示する（ステップＳ２８）。広告表示が終了すると、車両端末４３０は、地域情報、識別情報、車両情報、広告表示終了情報、時間情報等から成る表示完了データをアンテナ４２０からサーバ１００に自動送信する（ステップＳ２９）。
【００６９】
サーバ１００は、上記表示完了データを受信すると、表示実行の集計処理をリアルタイムに行い、広告表示実績管理テーブルのデータを更新する（ステップＳ３０）。そして、サーバ１００は、広告主に請求する広告料金を算出する（ステップＳ３１）。また、ユーザへの表示器４０への表示データ量、表示時間に応じた利益還元分を算出する（ステップＳ３２）。広告主への広告料金の請求、及びユーザへの利益還元方法は、第１の実施形態と同様である。
【００７０】
なお、上述した実施形態は、本発明の好適な実施形態の一例を示したものであり、本発明はそれに限定されることなく、その要旨を逸脱しない範囲内において種々変形実施が可能である。例えば、表示器４１０への表示は車両が停止中、もしくは低速走行中のみに表示実行できるように制御されてもよい。
【００７１】
また、車両側に搭載されているＧＰＳまたはタコメータと車内端末４３０と連携し、それらの計測情報をサーバ１００に送信することにより、サーバ１００は、広告表示中の車両４００の位置情報、速度情報を監視する構成を付加してもよい。さらに、その情報を広告主端末２００から参照可能としてもよい。
【００７２】
また、図７のステップＳ４における広告掲載条件と広告表示条件との照合の結果、完全一致ではないがほぼ一致する場合、サーバ１００は、譲歩を促すべき広告主の広告主端末２００またはユーザのユーザ端末３００に、電子メール等で通知してもよい。通知を受けた広告主またはユーザは、広告主端末２００またはユーザ端末３００から広告掲載条件登録または広告表示条件登録を変更登録することができる。
【００７３】
なお、本発明はプログラムをコンピュータに実行させて実現することもできる。当該プログラムは、磁気記録媒体、光記録媒体、光磁気記録媒体、若しくは半導体ＩＣ記録媒体に記録されて提供される。または、プログラムサーバからネットワークを介して、ＦＴＰ（Ｆｉｌｅ  Ｔｒａｎｓｆｅｒ  Ｐｒｏｔｏｃｏｌ）、ＨＴＴＰ（ｈｙｐｅｒｔｅｘｔ  ｔｒａｎｓｆｅｒ  ｐｒｏｔｏｃｏｌ）等のプロトコルによりダウンロードされて提供される。
【００７４】
【発明の効果】
以上の説明から明らかなように、請求項１記載の発明によれば、照合手段が、広告主により依頼された広告と、ユーザにより広告表示条件管理手段に登録された広告表示条件とを照合して、広告表示条件を満たすか否かを判断し、広告表示条件を満たす場合に、配信手段が、車両に広告主により依頼された広告にかかる広告表示データを無線を介して配信することにより、車両のユーザは、予め登録した広告表示条件を満たさない広告の配信を排除することができ、安心して参加することができるため、参加ユーザの増大につながる。延いては、参加ユーザが増大することにより、強力な広告媒体となる。
【００７５】
請求項２記載の発明によれば、広告表示条件として広告の内容（例えば、ユーザが表示したくない広告の内容）を予め登録しておくことにより、その広告の配信を排除することができ、安心して参加することができるため、参加ユーザの増大につながる。
【００７６】
請求項３記載の発明によれば、広告主が広告についての広告掲載条件を広告掲載条件管理手段に登録することにより、広告主の希望に沿った広告表示が可能となるため、広告主の参加も増大する。
【００７７】
請求項４記載の発明によれば、広告表示条件及び広告掲載条件として、車種、地域、時間帯等の条件を登録することができることにより、きめ細かな照合が可能となり、広告主及びユーザの希望がより反映する。
【００７８】
請求項５記載の発明によれば、受信手段が広告配信装置から送信する広告表示依頼データを受信し、報知手段が、受信手段により受信された広告表示依頼データを基に作成した広告表示内容を車内に報知する。ユーザが広告表示内容を確認して入力手段に表示許可を入力すると、表示制御手段が広告表示内容を作成するためのデータを表示器に出力することにより、ユーザは、表示器に表示してもよい広告のみを表示器に表示することができ、安心して参加することができるため、参加ユーザの増大につながる。
【００７９】
請求項６記載の発明によれば、広告配信装置から送信された広告の表示拒否を広告配信装置に伝達することができることにより、広告主側は、広告表示実績をリアルタイムに知ることができる。
【００８０】
請求項７記載の発明によれば、広告主により依頼された広告と、ユーザにより登録された広告表示条件とを照合して、広告表示条件を満たすか否かを判断し、広告表示条件を満たす場合に、車両に広告主により依頼された広告にかかる広告表示データを無線を介して送信することにより、車両のユーザは、予め登録した広告表示条件を満たさない広告の配信を排除することができ、安心して参加することができるため、参加ユーザの増大につながる。
【００８１】
請求項８記載の発明によれば、広告表示条件として広告の内容（例えば、ユーザが表示したくない広告の内容）を予め登録しておくことにより、その広告の配信を排除することができ、安心して参加することができるため、参加ユーザの増大につながる。
【００８２】
請求項９記載の発明によれば、広告主が広告についての広告掲載条件を登録することにより、広告主の希望に沿った広告表示が可能となるため、広告主の参加も増大する。
【００８３】
請求項１０記載の発明によれば、広告表示条件及び広告掲載条件として、車種、地域、時間帯等の条件を登録することができることにより、きめ細かな照合が可能となり、広告主及びユーザの希望がより反映する。
【００８４】
請求項１１記載の発明によれば、広告配信装置から送信された広告表示依頼データを基に作成した広告表示内容を車内のユーザに報知する。ユーザが広告表示内容を確認して入力部に表示許可を入力すると、広告表示内容が表示器に出力されることにより、ユーザは、表示器に表示してもよい広告のみを表示器に表示することができ、安心して参加することができるため、参加ユーザの増大につながる。
【００８５】
請求項１２記載の発明によれば、広告配信装置から送信された広告の表示拒否を広告配信装置に伝達することができることにより、広告主側は、広告表示実績をリアルタイムに知ることができる。
【００８６】
請求項１３記載の発明によれば、広告主により依頼された広告と、ユーザにより登録された広告表示条件とを照合して、広告表示条件を満たすか否かを判断し、広告表示条件を満たす場合に、車両に広告主の依頼にかかる広告表示データを無線を介して配信する処理をコンピュータに実行させることにより、車両のユーザは、予め登録した広告表示条件を満たさない広告の配信を排除することができ、安心して参加することができるため、参加ユーザの増大につながる。
【００８７】
請求項１４記載の発明によれば、広告表示条件として広告の内容（例えば、ユーザが表示したくない広告の内容）を予め登録しておくことにより、その広告の配信を排除することができ、安心して参加することができるため、参加ユーザの増大につながる。
【００８８】
請求項１５記載の発明によれば、広告主が広告についての広告掲載条件を登録することにより、広告主の希望に沿った広告表示が可能となるため、広告主の参加も増大する。
【００８９】
請求項１６記載の発明によれば、広告表示条件及び広告掲載条件として、車種、地域、時間帯等の条件を登録することができることにより、きめ細かな照合が可能となり、広告主及びユーザの希望がより反映する。
【図面の簡単な説明】
【図１】本発明の広告配信装置の基本構成図である。
【図２】本発明の車内端末装置の基本構成図である。
【図３】本発明の実施形態における広告配信表示システムのシステム構成を示すブロック図である。
【図４】本発明の実施形態におけるサーバ１００の構成を示すブロック図である。
【図５】本発明の実施形態における広告掲載条件登録テーブル、及び広告表示条件登録テーブルの一例を示す。
【図６】本発明の実施形態における車両４００の構成を示すブロック図である。
【図７】本発明の第１の実施形態における広告情報表示システムの動作を説明するためのフローチャートである。
【図８】本発明の第２の実施形態における広告情報表示システムの動作を説明するためのフローチャートである。
【符号の説明】
１００  サーバ
２００  広告主端末
３００  ユーザ端末
４００  車両
４１０  表示器
４２０  アンテナ
４３０  車内端末
５００  アンテナ
【図１】
2004271738.tif 000003
【図２】
2004271738.tif 000004
【図３】
2004271738.tif 000005
【図４】
2004271738.tif 000006
【図５】
2004271738.tif 000007
【図６】
2004271738.tif 000008
【図７】
2004271738.tif 000009
【図８】
2004271738.tif 000010